(57)【要約】      （修正有）【課題】効率的に調理可能に改進された取り外し可能なマイクロ波ベーキングトレイを提供する。【解決手段】改進された取り外し可能なマイクロ波ベーキングトレイは、分離設置された、上ベーキングトレイチャンバを設置した上ベーキングトレイ１と下ベーキングトレイチャンバを設置した下ベーキングトレイ２とを含み、下ベーキングトレイ２の両側の縁には一体的に延伸するように弾性係合部材２０３を設置した下ハンドル２０２が設置され、上ベーキングトレイ１の両側の縁には弾性係合部材２０３に対応して係合マッチングする係合凸部を設置した上ハンドル１０２が設置され、弾性係合部材２０３と係合凸部のマッチングにより上ベーキングトレイ１と下ベーキングトレイ２を一体に合わせて、上ベーキングトレイチャンバと下ベーキングトレイチャンバを連通させて共同で食物ベーキングに適する加熱室を構成させる。【選択図】図１
0003217689.tif 000002
【実用新案登録請求の範囲】
【請求項１】
分離設置された、上ベーキングトレイチャンバを設置した上ベーキングトレイと下ベーキングトレイチャンバを設置した下ベーキングトレイとを含み、下ベーキングトレイの両側の縁には一体的に延伸するように弾性係合部材を設置した下ハンドルが設置され、上ベーキングトレイの両側の縁には弾性係合部材に対応して係合マッチングする係合凸部を設置した上ハンドルが設置され、弾性係合部材と係合凸部のマッチングにより上ベーキングトレイと下ベーキングトレイを一体に合わせて、上ベーキングトレイチャンバと下ベーキングトレイチャンバを連通させて共同で食物ベーキングに適する加熱室を構成させる
ことを特徴とする改進された取り外し可能なマイクロ波ベーキングトレイ。
【請求項２】
前記弾性係合部材は係合板及び弾性伸縮コネクタを含む
ことを特徴とする請求項１に記載の改進された取り外し可能なマイクロ波ベーキングトレイ。
【請求項３】
前記弾性伸縮コネクタは複数のＵ状弾性コネクタからなるものである
ことを特徴とする請求項２に記載の改進された取り外し可能なマイクロ波ベーキングトレイ。
【請求項４】
前記上ベーキングトレイと下ベーキングトレイの外側面にそれぞれマイクロ波吸収発熱層が設置されている
ことを特徴とする請求項１に記載の改進された取り外し可能なマイクロ波ベーキングトレイ。
【請求項５】
前記弾性係合部材の両側に２つの位置決め凹部が対称するように設置されており、上ハンドルの両側に２つの位置決め凹部と位置決めマッチングする２つの位置決め凸部が対応して設置されている
ことを特徴とする請求項１に記載の改進された取り外し可能なマイクロ波ベーキングトレイ。
【請求項６】
前記マイクロ波吸収発熱層は以下の重量パーセントの含有量の組成成分を混合してなり、
波吸収剤：１０％−９０％、補助材料１０％−９０％
であることを特徴とする請求項４に記載の改進された取り外し可能なマイクロ波ベーキングトレイ。
【請求項７】
前記波吸収剤はフェライト粉末、カーボニル鉄粉末、黒鉛粉末、炭素繊維、導電カーボンブラック、アセチレンブラック及び炭化ケイ素のうちの１種を含んで又は２種以上を混合してなり、補助材料は合成ゴム又は粘着材であることを特徴とする請求項６に記載の改進された取り外し可能なマイクロ波ベーキングトレイ。
【考案の詳細な説明】
【技術分野】
【０００１】
本考案は調理器具に関し、特に改進された取り外し可能なマイクロ波ベーキングトレイに関する。
【背景技術】
【０００２】
現在、市場における大部分のマイクロ波ベーキングトレイは、一般に単一面から食物を加熱しベーキング調理するようになっている。
【考案の概要】
【考案が解決しようとする課題】
【０００３】
このような調理では、手動でひっくり返す必要があって、ベーキング効果が悪く、加熱が不均一で、食物の口当たりが影響されて、時間も電力も浪費される。
【０００４】
本考案は、上記従来技術の不足を解決し、本考案の創造において改進された取り外し可能なマイクロ波ベーキングトレイを提供することを目的とする。
【課題を解決するための手段】
【０００５】
本考案がその課題を解決するために採用する技術的手段は、改進された取り外し可能なマイクロ波ベーキングトレイは、分離設置された、上ベーキングトレイチャンバを設置した上ベーキングトレイと、下ベーキングトレイチャンバを設置した下ベーキングトレイとを含み、下ベーキングトレイの両側の縁には一体的に延伸するように弾性係合部材を設置した下ハンドルが設置され、上ベーキングトレイの両側の縁には弾性係合部材に対応して係合マッチングする係合凸部を設置した上ハンドルが設置され、弾性係合部材と係合凸部のマッチングにより上ベーキングトレイと下ベーキングトレイを一体に合わせて、上ベーキングトレイチャンバと下ベーキングトレイチャンバを連通させて共同で食物ベーキングに適する加熱室を構成させる。
【０００６】
該構造を用いたマイクロ波ベーキングトレイにおいて、弾性係合部材と係合凸部の係合マッチングにより上ベーキングトレイと下ベーキングトレイを一体に合わせて、上ベーキングトレイチャンバと下ベーキングトレイチャンバを連通させて共同で食物ベーキングに適する加熱室を構成させることで、食物の上下表面を同時にベーキングすることを実現でき、操作便利性がより優れ、弾性係合部材の弾性特質により上ベーキングトレイと下ベーキングトレイを常時に弾性係合させ、加熱室に厚い食物も薄い食物もあっても食物の両面がベーキングされることを保証でき、ベーキング過程で食物が均一に加熱される。
【０００７】
上記に示す弾性係合部材は、係合板及び弾性伸縮コネクタを含むものである。
【０００８】
この構造を用いたマイクロ波ベーキングトレイにおいて、係合板と係合凸部の係合マッチングにより上ベーキングトレイと下ベーキングトレイを一体に合わせ、更に、弾性伸縮コネクタの弾性特質により、上ベーキングトレイと下ベーキングトレイで厚さが小さい食物又は厚さが大きい食物をベーキングする時、上ベーキングトレイと下ベーキングトレイを常時に食物に密着させて、食物の両面がベーキングされ均一に加熱されることを保証できる。
【０００９】
上記に示す弾性伸縮コネクタは、複数のＵ状弾性コネクタからなるものである。
【００１０】
この構造を用いたマイクロ波ベーキングトレイにおいて、弾性伸縮コネクタは複数のＵ状弾性コネクタからなるものであり、弾性伸縮コネクタに弾性補償を行う作用を持たせた。
【００１１】
上記に示す上ベーキングトレイと下ベーキングトレイの外側面にそれぞれマイクロ波吸収発熱層が設置されている。
【００１２】
また、この構造を用いたマイクロ波ベーキングトレイにおいて、ベーキングトレイを電子レンジに入れた後、マイクロ波がマイクロ波吸収発熱層を加熱し、続いてマイクロ波吸収発熱層が熱を上ベーキングトレイと下ベーキングトレイに伝達し、最後に下ベーキングトレイと上ベーキングトレイが食物を加熱しベーキングする。
【００１３】
上記に示す弾性係合部材の両側に２つの位置決め凹部が対称するように設置されており、上ハンドルの両側に２つの位置決め凹部と位置決めマッチングする２つの位置決め凸部が対応して設置されている。
【００１４】
この構造を用いたマイクロ波ベーキングトレイにおいて、２つの位置決め凹部と２つの位置決め凸部は凹凸マッチングして上ベーキングトレイと下ベーキングトレイを位置決めして係合させて変位を回避する。
【００１５】
上記に示すマイクロ波吸収発熱層は、以下の重量パーセントの含有量の組成成分を混合してなる（波吸収剤：１０％−９０％、補助材料１０％−９０％）。
【００１６】
また、この波吸収剤はフェライト粉末、カーボニル鉄粉末、黒鉛粉末、炭素繊維、導電カーボンブラック、アセチレンブラック及び炭化ケイ素のうちの１種を含んで又は２種以上を混合してなり、補助材料は合成ゴム又は粘着材である。
【考案の効果】
【００１７】
本考案によれば、弾性係合部材（シリカゲル係合部材）の弾性特質により上ベーキングトレイと下ベーキングトレイを常時に弾性係合させ、加熱室に厚い食物も薄い食物もあっても食物の両面がベーキングされることを保証でき、ベーキング過程で食物が均一に加熱することができる。
【図面の簡単な説明】
【００１８】
【図１】本考案の構造模式図である。
【図２】本考案の図１のＡ箇所の拡大図である。
【図３】本考案の構造状態図である。
【図４】本考案の使用状態図である。
【図５】本考案の分解構造模式図である。
【図６】本考案の下ベーキングトレイの構造模式図である。
【図７】本考案の上ベーキングトレイの構造模式図である。
【図８】本考案の下ベーキングトレイの構造模式図である。
【図９】本考案の上ベーキングトレイの構造模式図である。
【考案を実施するための形態】
【００１９】
以下、添付図面及び実施例を参照しながら本考案を更に説明する。
【００２０】
図１〜９に示すように、改進された取り外し可能なマイクロ波ベーキングトレイは、分離設置された、上ベーキングトレイチャンバ１０１を設置した上ベーキングトレイ１と下ベーキングトレイチャンバ２０１を設置した下ベーキングトレイ２とを含み、下ベーキングトレイ２の両側の縁には一体的に延伸するように弾性係合部材２０３を設置した下ハンドル２０２が設置されている。また、上ベーキングトレイ１の両側の縁には弾性係合部材に対応して係合マッチングする係合凸部１０３を設置した上ハンドル１０２が設置され、弾性係合部材２０３と係合凸部１０３のマッチングにより上ベーキングトレイ１と下ベーキングトレイ２を一体に合わせて、上ベーキングトレイチャンバ１０１と下ベーキングトレイチャンバ２０１を連通させて共同で食物ベーキングに適する加熱室を構成させる。
【００２１】
この構造を用いたマイクロ波ベーキングトレイにおいて、弾性係合部材と係合凸部１０３の係合マッチングにより上ベーキングトレイ１と下ベーキングトレイ２を一体に合わせて、上ベーキングトレイチャンバ１０１と下ベーキングトレイチャンバ２０１を連通させて共同で食物ベーキングに適する加熱室を構成させることで、食物の上下表面を同時にベーキングすることを実現でき、操作便利性がより優れ、弾性係合部材２０３の弾性特質により上ベーキングトレイ１と下ベーキングトレイ２を常時に弾性係合させ、加熱室に厚い食物も薄い食物もあっても食物の両面がベーキングされることを保証でき、ベーキング過程で食物が均一に加熱される。
【００２２】
上記の弾性係合部材は、係合板２０３ａ及び弾性伸縮コネクタ２０３ｂを含むものである。
【００２３】
この構造を用いたマイクロ波ベーキングトレイにおいて、係合板２０３ａと係合凸部１０３の係合マッチングにより上ベーキングトレイ１と下ベーキングトレイ２を一体に合わせ、更に、弾性伸縮コネクタ２０３ｂの弾性特質により、上ベーキングトレイ１と下ベーキングトレイ２で厚さが小さい食物又は厚さが大きい食物をベーキングする時、上ベーキングトレイ１と下ベーキングトレイ２を常時に食物に密着させて、食物の両面がベーキングされ均一に加熱されることを保証できる。
【００２４】
上記に示す弾性伸縮コネクタ２０３ｂは複数のＵ状弾性コネクタ２０４からなるものである。
【００２５】
この構造を用いたマイクロ波ベーキングトレイにおいて、弾性伸縮コネクタ２０３ｂは複数のＵ状弾性コネクタ２０４からなるものであり、弾性伸縮コネクタ２０３ｂに弾性補償を行う作用を持たせた。
【００２６】
上記に示す上ベーキングトレイ１と下ベーキングトレイ２の外側面にそれぞれマイクロ波吸収発熱層３が設置されている。
【００２７】
この構造を用いたマイクロ波ベーキングトレイにおいて、ベーキングトレイを電子レンジに入れた後、マイクロ波がマイクロ波吸収発熱層３を加熱し、続いてマイクロ波吸収発熱層３が熱を上ベーキングトレイ１と下ベーキングトレイ２に伝達し、最後に下ベーキングトレイ２と上ベーキングトレイ１が食物を加熱しベーキングする。
【００２８】
この弾性係合部材２０３の両側に２つの位置決め凹部４が対称して設置されており、上ハンドル１０２の両側に２つの位置決め凹部４と位置決めマッチングする２つの位置決め凸部５が対応して設置されている。
【００２９】
この構造を用いたマイクロ波ベーキングトレイにおいて、２つの位置決め凹部４と２つの位置決め凸部５は凹凸マッチングして上ベーキングトレイ１と下ベーキングトレイ２を位置決めして係合させて変位を回避する。
【００３０】
また、マイクロ波吸収発熱層は以下の重量パーセントの含有量の組成成分を混合してなる（波吸収剤：１０％−９０％、補助材料１０％−９０％）。
【００３１】
上記に示す波吸収剤はフェライト粉末、カーボニル鉄粉末、黒鉛粉末、炭素繊維、導電カーボンブラック、アセチレンブラック及び炭化ケイ素のうちの１種を含んで又は２種以上を混合してなり、補助材料は合成ゴム又は粘着材である。
【００３２】
上記の具体的な実施例は、本考案の好ましい実施例に過ぎず、本考案の実用新案登録請求の範囲に基づいて行われた等価なものは全て本考案の技術範囲に含まれるべきである。
【図１】
0003217689.tif 000003
【図２】
0003217689.tif 000004
【図３】
0003217689.tif 000005
【図４】
0003217689.tif 000006
【図５】
0003217689.tif 000007
【図６】
0003217689.tif 000008
【図７】
0003217689.tif 000009
【図８】
0003217689.tif 000010
【図９】
0003217689.tif 000011